(57)【特許請求の範囲】
【請求項１】
四角形の角筒状に形成された袋の袋底面(16)における一方の対角の夫々の角部と隣り合う角部との間に、袋内側面に沿って折込まれてその上縁部が一方の対角の夫々の角部から隣り合う角部に向かうにつれて袋上部に向けて傾斜する折込重合部(52,54)が形成され、各折込重合部(52,54)は袋胴部(12)との略三角状の重合部の上縁部または全面がシールされると共に、他方の対角に位置する折込まれた２個所のフィルム端縁部が密封状態にシールされ、また該袋の四方に形成される４つの前記折込重合部(52,52,54,54)の内側にフラットな四角形状の底部(16a)が画成され、更に前記袋底面(16)における四方の各角部に対応する袋胴部(12)に、袋高さ方向に延在する縦シール部(14)が形成されている
ことを特徴とする自立性角筒袋。
【請求項２】
他方の対角に位置する折込まれた２個所のフィルム端縁部は、各縦シール部(14)内で重合して密封状態にシールされている請求項１記載の自立性角筒袋。
【請求項３】
袋上部の対向する側面にガセット折込部(56)が夫々形成されると共に、袋上部に上部横シール部(58)が形成されている請求項１または２記載の自立性角筒袋。
【発明の詳細な説明】
【０００１】
【発明の属する技術分野】
本発明は、自立性角筒袋、特に袋底面がフラットでかつ底部を四角形状に広げた状態で自立させることのできる自立性角筒袋に関するものである。
【０００２】
【従来の技術】
食品その他の物品が充填されるプラスチックフィルムからなる四角形状の自立性角筒袋では、その袋底面を広げた状態で自立させるように形成される。この角筒袋に充填される物品が、例えば揚げ菓子やクッキー等の軽量物である場合、袋内に充填された物品の荷重により袋底面が確実に広がった状態とならず、自立安定性に欠けたり、あるいは袋底面の広がり状態のバラツキによって包装後の袋形状に差が発生し、販売される際の店頭における陳列状態での見栄えに悪影響を及ぼす等の問題がある。このような場合の１つの解決策として、従来では、例えば特開平１１−１１５９４８号公報で提案されているように、包装袋の底部側に紙製ホルダー等の硬性の保形材を別途挿入することによって、袋底面の拡開状態を保持していた。
【０００３】
【発明が解決しようとする課題】
前述した構成の包装袋によれば、袋製袋後において、包装袋の上部開口から保形材を挿入する工程が別途必要になる。また、該包装袋は袋素材(プラスチックフィルム)と異なる材質(紙製)の保形材を有しているため、物品の使用後に消費者が包装袋を廃棄するに際しては、異なる材質の材料を分別する煩雑な作業が必要となる問題も指摘される。
【０００４】
前記包装袋は、袋胴部を形成するフィルムと袋底部を形成するフィルムとの２枚のフィルムを加熱溶着することで製造される。すなわち、フィルムシートをロールフィルムから連続的に引出して製袋する場合では、２つのフィルムロールを用意する必要があるばかりでなく、２枚のフィルムを連続的に引出す時や重ね合わせして加熱溶着する際には、フィルムのズレが発生する製造上の問題がある。従って、製袋後に重ね合わせ部のズレに対して、溶着部となる四方の端部をカットして整形するといった手間も生ずる。
【０００５】
【発明の目的】
この発明は、前述した従来の技術に内在している前記課題に鑑み、これを好適に解決するべく提案されたものであって、袋素材と異なる材質の保形材等を用いることなく、袋底面を広げた状態に保持することが可能で、かつ２枚のフィルムを用いる必要のない自立性角筒袋を提供することを目的とする。
【０００６】
【課題を解決するための手段】
前述した課題を解決し、所期の目的を好適に達成するため、本発明に係る自立性角筒袋は、
四角形の角筒状に形成された袋の袋底面における一方の対角の夫々の角部と隣り合う角部との間に、袋内側面に沿って折込まれてその上縁部が一方の対角の夫々の角部から隣り合う角部に向かうにつれて袋上部に向けて傾斜する折込重合部が形成され、各折込重合部は袋胴部との略三角状の重合部の上縁部または全面がシールされると共に、他方の対角に位置する折込まれた２個所のフィルム端縁部が密封状態にシールされ、また該袋の四方に形成される４つの前記折込重合部の内側にフラットな四角形状の底部が画成され、更に前記袋底面における四方の各角部に対応する袋胴部に、袋高さ方向に延在する縦シール部が形成されていることを特徴とする。
【０００７】
【作用】
袋底面の四方に形成されて袋胴部にシールした折込重合部により、該袋底面を広がった状態に保持することができ、充填される物品の性状等によって自立安定性が低下したり袋形状に差が発生することなく、安定した自立性を確保し得る。袋素材とは別材質の保形材を用いることなく袋底面を広がった状態に保持でき、分別廃棄の手間がなくなる。また、四方の折込重合部の内側にフラットな四角形状の底部が画成され、あらゆる物品の袋内への充填は良好に行なわれる。更に、袋底面における四方の各角部に対応する袋胴部に形成された袋高さ方向に延在する縦シール部により、袋の保形性が確保される。
【０００８】
【発明の実施の形態】
次に、本発明に係る自立性角筒袋につき、好適な実施例を挙げて、添付図面を参照しながら以下説明する。
【０００９】
図１は、実施例に係る自立性角筒袋を斜視状態で示すものであり、図２は、自立性角筒袋の上部を開口した状態で底面側からの斜視状態で示すものである。実施例の自立性角筒袋１０は、一枚の片面溶着性のフィルムシートから構成されたものであって、その袋胴部１２は、底部が正四角形(四角形)となる角筒状に形成される。この袋胴部１２には、自立性角筒袋１０の正四角形状を呈する袋底面１６の四方の角部に対応する位置に、底部から上部に亘る袋高さ方向に延在するリブ用縦シール部(縦シール部)１４が夫々形成されており、該リブ用縦シール部１４により、自立性角筒袋１０の保形性が確保されるようになっている。なお、袋胴部１２は、図１において前後に対向する一対の幅広側面１２ａ,１２ａと、左右に対向する幅狭側面１２ｂ,１２ｂとから構成され、各幅広側面１２ａと幅狭側面１２ｂとの間にリブ用縦シール部１４が位置している。また各リブ用縦シール部１４は、対応する左右の幅狭側面１２ｂ,１２ｂに対しては直角に折曲された外方を指向するよう設定される。
【００１０】
前記自立性角筒袋１０の袋底面１６を形成するフィルム(袋素材)には、図２に示す如く、前記各幅広側面１２ａの短手方向に沿って第１山折り線１２ｃが夫々形成されると共に、各幅狭側面１２ｂの短手方向に沿って第２山折り線１２ｄが夫々形成され、これら４つの山折り線１２ｃ,１２ｃ,１２ｄ,１２ｄによって袋底面１６にフラットな正四角形状の底部１６ａが画成される。各第１山折り線１２ｃと幅広側面１２ａとの間に、幅広側面１２ａを挟む一方の角部から他方の角部に向かうにつれて、その上縁部が袋上部に向けて傾斜するようフィルムが袋内側面に沿って折込まれた第１折込重合部(折込重合部)５２が夫々形成されており、該重合部５２は幅広側面１２ａ(袋胴部１２)に対して略直角三角形状に重合して全面シールされている。また各第２山折り線１２ｄと幅狭側面１２ｂとの間に、幅狭側面１２ｂを挟む一方の角部から他方の角部に向かうにつれて、その上縁部が袋上部に向けて傾斜するようフィルムが袋内側面に沿って折込まれた第２折込重合部(折込重合部)５４が夫々形成されており、該折込重合部５４は幅狭側面１２ｂ(袋胴部１２)に対して略直角三角形状に重合して全面シールされている。なお、各幅広側面１２ａに沿って形成された第１折込重合部５２の垂直辺に対応するフィルム端縁部と、各幅狭側面１２ｂに沿って形成された第２折込重合部５４の垂直辺に対応するフィルム端縁部とは、他方の対角に位置するリブ用縦シール部１４の内側で重合して密封状態で溶着(シール)されている。すなわち、実施例の自立性角筒袋の袋底面１６では、一方の対角の夫々の角部と隣り合う角部との間に折込み形成された三角形状の折込重合部５２,５４と袋胴部１２との重合シール部による剛性と、四方の折込重合部５２,５２,５４,５４の内側に画成されたフラットな正四角形状の底部１６ａとにより、袋底面１６を正四角形状に広げた状態に維持する保形性が付与される。
【００１１】
なお実施例の底部１６ａは、袋外方端より袋内方側に位置しているが、袋外方端と同一レベルに位置させてもよい。
【００１２】
図３は、前記自立性角筒袋１０を展開した状態で示すものであって、該角筒袋１０を構成する一枚の矩形状のフィルムシートでは、前記袋底面１６を構成する底面フィルムを挟むフィルムシートの長手方向両側に、前記袋胴部１２を構成する前記幅広側面１２ａと幅狭側面１２ｂとがフィルムシートの短手方向に平行に並ぶ側面フィルムが、フィルムシートの短手方向に沿って延在する対応の底面第１山折り線２６を境界として夫々連設されている。なお、一方の側面フィルムにおける幅広側面１２ａと幅狭側面１２ｂとの位置と、他方の側面フィルムにおける幅広側面１２ａと幅狭側面１２ｂとの位置は逆になっている。
【００１３】
前記各側面フィルムにおいて、幅広側面１２ａと幅狭側面１２ｂとは、フィルムシートの短手方向に所定間隔離間してフィルムシートの長手方向に平行に延在する側面山折り線３０と側面第１谷折り線３２とを挟んで位置し、側面フィルムが側面山折り線３０で山折りされると共に側面第１谷折り線３２で谷折りされた状態で、両折り線３０,３２の間に臨む側面第１シール代３４と幅広側面１２ａとの重合部が溶着されて前記リブ用縦シール部１４が形成される。また各側面フィルムにおいて、幅狭側面１２ｂにおけるフィルムシートの短手方向の開放端から内側に所定間隔離間して側面第２谷折り線３６が平行に形成されると共に、幅広側面１２ａにおけるフィルムシートの短手方向の開放端から内側に所定幅で側面第２シール代３８が設定される。そして、前記袋底面１６を挟んで対向する一方の側面フィルムにおける側面第２シール代３８と、他方の側面フィルムの側面第２谷折り線３６で谷折りされた側面第３シール代４０との重合部が溶着されて、前記リブ用縦シール部１４が形成される。
【００１４】
前記底面フィルムの中央部分には、前記第１山折り線１２ｃ,１２ｃおよび第２山折り線１２ｄ,１２ｄで画成される正四角形状の底部１６ａが、フィルムシートの長手方向および短手方向に対して所定角度の傾斜状態で位置している。また底面フィルムでは、両側面フィルムにおける前記側面山折り線３０と底面第１山折り線２６との交点位置から、所定長さで底面第１谷折り線４１が直線的に形成されると共に、前記側面第１谷折り線３２と底面第１山折り線２６との交点位置から、後述する底面第４谷折り線４７まで底面第４谷折り線５５が直線的に形成される。更に、底部１６ａの第１山折り線１２ｃと第２山折り線１２ｄとがフィルムシートの長手方向側で交わる各底部角２４と、対応する底面第１谷折り線４１との間に、第３山折り線１２ｅが斜めに夫々形成されると共に、該底部角２４から底面第４谷折り線４７と底面第４谷折り線５５との交点位置まで底面第５谷折り線５７が形成されている。そして、底面フィルムの第３山折り線１２ｅで山折りされると共に底面第５谷折り線５７で谷折りされた折込部位が、底面第１谷折り線４１で谷折りされると共に底面第４山折り線５５で山折りされた折込部位の内側に重合されて、前記側面第１シール代３４と共に溶着されることでリブ用縦シール部１４が形成される。
【００１５】
前記底部１６ａの第１山折り線１２ｃと第２山折り線１２ｄとがフィルムシートの短手方向側で交わる各底部角２４を基点として、フィルムシートの対応する短手方向端縁部に向けて短手方向と平行な底面第３山折り線５０が所定長さで夫々形成される。また底面フィルムにおけるフィルムシートの短手方向両側には、三角形状の凹部１６ｂが夫々切欠形成されており、各凹部１６ｂのフィルム内側の頂部が底面第３山折り線５０と一致するよう設定されている。
【００１６】
前記各第１山折り線１２ｃと対応する底面第１山折り線２６との間に臨む底面フィルムには、前記底面第１谷折り線４１と第３山折り線１２ｅとの交点を基点として、前記凹部１６ｂのフィルム開放端に位置する一方の頂部近傍まで底面第３谷折り線４９が直線的に夫々形成される。また、前記各第２山折り線１２ｄと対応する底面第１山折り線２６との間に臨む底面フィルムに、底面第１谷折り線４１と第３山折り線１２ｅとの交点を基点として、前記凹部１６ｂのフィルム開放端に位置する他方の頂部近傍まで底面第４谷折り線４７が直線的に形成される。そして底面フィルムが、前記４本の山折り線１２ｃ,１２ｃ,１２ｄ,１２ｄで夫々山折りされると共に、各底面第３谷折り線４９および底面第４谷折り線４７で夫々谷折りされることで、フラットな底部１６ａの四方に前記第１折込重合部５２,５２および第２折込重合部５４,５４が折込み形成されるようになっている。
【００１７】
すなわち、底面フィルムの底面第３谷折り線４９を挟んで底面第１山折り線２６側に位置する第１重合面５２ａが、そのフィルム溶着面(内面)を幅広側面１２ａのフィルム溶着面に重合するよう折込まれると共に、底面第３谷折り線４９を挟んで第１山折り線１２ｃ側に位置する第２重合面５２ｂが、その非溶着面(外面)を第１重合面５２ａの非溶着面に重合されることで第１折込重合部５２が形成される。また底面フィルムの底面第４谷折り線４７を挟んで底面第１山折り線２６側に位置する第１重合面５４ａが、そのフィルム溶着面を幅狭側面１２ｂのフィルム溶着面に重合するよう折込まれると共に、底面第４谷折り線４７を挟んで第２山折り線１２ｄ側に位置する第２重合面５４ｂが、その非溶着面を第１重合面５４ａの非溶着面に重合されることで第２折込重合部５４が形成される。
【００１８】
実施例では、第１折込重合部５２および第２折込重合部５４の第１重合面５２ａ,５４ａは、対応する側面１２ａ,１２ｂに全面的に溶着してあるが、何れも対応する側面１２ａ,１２ｂとの重合上縁部である各谷折り線４９,４７においてのみ帯状に溶着してもよい。ただしこの場合は、底面第１山折り線２６から所定幅(図２において袋下端から底部１６ａまでの間)の底面フィルムと各側面フィルムとの重合部を溶着することで、袋底面１６の全周縁に亘るリブ用横シール部１８を形成することが推奨される。なお、実施例のように両重合面５２ａ,５４ａを全面溶着する場合は、リブ用横シール部１８も一体的に施されることとなるから、該横シール部１８のみを別途施す工程は不要である。
【００１９】
底面フィルムには、各側面フィルムにおける側面第２谷折り線３６から底面第４谷折り線４７まで直線的に延びる底面第２山折り線４４が形成されると共に、該底面第２山折り線４４と底面第４谷折り線４７との交点から前記底部角２４まで底面第２谷折り線４５が直線的に形成される。そして、底面第２山折り線４４の外側に底面第２シール代４６が形成されると共に、底面第２谷折り線４５の外側に底面第３シール代４８が形成される。また底面フィルムには、各側面フィルムにおける側面第２シール代３８と同一幅で底面第３谷折り線４９まで延在する底面第４シール代５１および底面第３谷折り線４９から底面第３山折り線５０まで延在する底面第５シール代５３が形成される。すなわち、底面フィルムを底面第３山折り線５０で山折りすることで、底面第３シール代４８と底面第５シール代５３との溶着面側(内面側)が重合して溶着され、底面第３および第４谷折り線４９,４７で谷折りすることで、底面第３シール代４８の非溶着面側(外面側)に底面第２シール代４６の非溶着面側が重合すると共に底面第５シール代５３の非溶着面側に底面第４シール代５１の非溶着面側が重合する。そして、これら４つのシール代４６,４８,５１,５３(４枚のフィルム)が、前記側面第２シール代３８と側面第３シール代４０とで挟持された状態で重合される。
【００２０】
なお、側面第２シール代３８と底面第４シール代５１とは、その溶着面同士が重合して全面が溶着され、側面第３シール代４０と底面第２シール代４６とは、その溶着面同士が重合して全面溶着される。また、前記底面第２シール代４６および底面第４シール代５１には、底面第３シール代４８および底面第５シール代５３と重合しない位置に、側面第２シール代３８および側面第３シール代４０の溶着面を露出するための半円形の切欠部１６ｃが夫々形成され、袋下部における側面第２シール代３８と側面第３シール代４０とは、底面第２シール代４６および底面第４シール代５１の各切欠部１６ｃ,１６ｃを介して溶着されている。
【００２１】
前記自立性角筒袋１０の袋上部には、袋胴部１２における対向する幅狭側面１２ｂ,１２ｂに、各幅狭側面１２ｂを幅方向の中央で袋内方側に折込んだガセット折込部５６が夫々形成されると共に、一対の幅広側面１２ａ,１２ａを合掌状に重ね合わせて熱溶着した上部横シール部５８が形成されている。
【００２２】
すなわち実施例の自立性角筒袋１０では、袋底面１６に形成されたフラットな正四角形状の底部１６ａと、該底部１６ａの四方に折込み形成された第１折込重合部５２,５２および第２折込重合部５４,５４の対応する側面１２ａ,１２ｂとの重合シール部により、該袋底面１６は正四角形状に広がった状態に保持され、安定した自立性を確保し得る。なお、前記折込重合部５２,５４の重合上縁部のみで側面１２ａ,１２ｂに溶着した場合でも、袋底面１６の全周縁に亘るリブ用横シール部１８を形成することで、該横シール部１８によって確実な保形性および自立安定性が得られる。
【００２３】
前述した実施例では、１枚のフィルムシートから自立性角筒袋を形成する場合で説明したが、袋底面を構成するフィルムシートと、袋胴部を構成するフィルムシートとを異なるシートにより構成することができる。なおフィルムシートは、片面溶着性のフィルムではなく、両面溶着性のフィルムを用いてもよく、また折込重合部と側面のフィルムが６重状態で溶着される部分のみ両面溶着加工されたものを採用可能である。更に、実施例では底面第２シール代、底面第３シール代、底面第４シール代および底面第５シール代を、側面第２シール代と側面第３シール代とで挟持した状態で密封溶着したが、側面第２シール代と側面第３シール代との内側、すなわちリブ用縦シール部の内側において密封状態で溶着されているものであってもよい。またフィルム重合面の各シールは、熱溶着に限らず、接着剤その他のシールを採用し得る。
【００２４】
【自立性角筒袋の製造方法について】
次に、前述した実施例に係る自立性角筒袋の製造方法について説明する。自立性角筒袋１０を製造する場合は、図４に示すように、前記幅広側面１２ａおよび幅狭側面１２ｂからなる前記側面フィルムの幅寸法に対応する所定間隔毎にレジマーク７０が付されたフィルムを巻回したフィルムロール６０から連続的に帯状フィルム６２を引出し、該帯状フィルム６２における各レジマーク位置に合わせて、その幅方向(引出し方向と交差する方向)中央近傍に角形の第１抜穴６４を形成すると共に、該第１抜穴６４を挟む幅方向両側に円形の第２抜穴６６,６６を夫々形成する。なお、前記底面フィルムに形成される凹部１６ｂ,１６ｂとなる隣り合う一対の第１抜穴６４,６４は、帯状フィルム６２の幅方向中央を挟んで反対側に所定長さだけ偏位した位置に形成される。また、引出された帯状フィルム６２に第１抜穴６４および第２抜穴６６,６６を形成するのに代えて、予め抜穴６４,６６,６６が形成されているフィルムを用いてもよい。更に、前記切欠部１６ｃを形成するための第２抜穴６６に関しては円形に限られるものでなく、側面第２シール代３８および側面第３シール代４０の溶着面を露出する形状であれば角形等、その他の形状であってもよい。
【００２５】
両抜穴６４,６６,６６が形成された帯状フィルム６２を、図５(ａ)に示す如く、その溶着面が内側になると共に長手方向に沿う両端縁部が重合するように幅方向の中央で折曲げることで、前記袋胴部１２となる２枚の連続側面フィルム８０,８０を対向させる。また図５(ｂ)に示す如く、両連続側面フィルム８０,８０を連設する連続底面フィルム８１を、底面第１山折り線２６,２６が形成される部位を境として、両連続側面フィルム８０,８０の間に幅方向中央部を挟んで非溶着面同士が対向する状態で押込む。そして、押込まれた連続底面フィルム８１の各溶着面と、対応する各連続側面フィルム８０の溶着面との重合する所要の領域(底面第１山折り線２６、底面第３谷折り線４９および底面第４谷折り線４７で囲まれる領域)の全面を熱溶着する。すなわち、図６(ａ)に示す如く、隣り合う一対のレジマーク７０,７０の間に臨む連続底面フィルム８１において、前記幅広側面１２ａと幅狭側面１２ｂとの境界となる側面山折り線３０が形成される部位から両レジマーク７０,７０での境界位置に向かうにつれて溶着縁部(上縁部)が底部側から徐々に離間するよう傾斜した状態で熱溶着される。これにより、第１および第２折込重合部５２,５４の略三角形状の第１重合面５２ａ,５４ａが対応する側面１２ａ,１２ｂに溶着された状態となる。またこのとき、溶着面同士が対向する前記側面第２シール代３８と底面第４シール代５１および側面第３シール代４０と底面第２シール代４６とが溶着されるが、これらシール代の溶着は後工程のリブ用縦シール部１４を形成するときに同時に行なうようにしてもよい。なお、連続底面フィルム８１の各連続側面フィルム８０との折曲縁部を所定幅で溶着してリブ用横シール部１８を形成すると共に、該横シール部１８から離間する位置を斜めに溶着することで、第１重合面５２ａ,５４ａを底面第３および第４谷折り線４９,４７に沿って帯状に溶着した形態とすることもできる。
【００２６】
次に、前記帯状フィルム６２を、前記レジマーク７０が形成されている位置において、フィルム引出し方向に前記側面第２シール代３８の２倍の幅で幅方向に溶着した後、前記第１抜穴６４および第２抜穴６６,６６の中心を通る位置で幅方向にカットする。これにより、他方の対角に対応する２つのリブ用縦シール部１４,１４が形成された折畳み状態の袋が得られる。このときに形成されるリブ用縦シール部１４では、図６(ｂ)に示す如く、袋上部においては２枚の側面フィルム(側面第２シール代３８,側面第３シール代４０)が重合し、また袋下部では既に側面フィルムの間に折込まれている底面フィルムのフィルム端縁部(底面第２シール代４６,底面第４シール代５１)と２枚の側面フィルム(側面第２シール代３８,側面第３シール代４０)とが重合した状態となっている。なお、底面フィルムのフィルム端縁部が臨む部分の側面フィルム同士は溶着されない(図６の白抜き部分)。ただし、前記第２抜穴６６,６６の中心でカットされることで形成される切欠部１６ｃ,１６ｃが対向する部分では、両側面フィルム(側面第２シール代３８および側面第３シール代４０)の溶着面が重合することで溶着される。
【００２７】
前記折畳み状態の袋を角筒状に拡開したもとで、袋の開口幅に対応した角柱状の治具８２を、袋の底部側とは反対の開口部６８から押込むことにより、両側面フィルムの間に折込まれている底面フィルムは、各幅広側面１２ａおよび幅狭側面１２ｂに溶着されている各第１重合面５２ａ,５４ａの上端縁(底面第３および第４谷折り線４９,４７)を基点として夫々谷折りされて、前記各第２重合面５２ｂ,５４ｂが対応する第１重合面５２ａ,５４ａに沿って重合するよう底部側に向けて折込まれることで、袋の四方に第１折込重合部５２,５２、第２折込重合部５４,５４が形成されると共にその内側に正四角形状のフラットな底部１６ａが画成される(図７参照)。このとき、前記底面フィルムにおける他方の対角に対応する位置に臨むフィルム端縁部に形成されている凹部１６ｂ,１６ｂにより、前記底面第３および第５シール代４８,５３は、既に側面第２および第３シール代３８,４０に溶着されている底面第２および第４シール代５１の内側で溶着面同士を対向した状態で整列重合する。また治具８２としては、角柱状のものに限らず、底部１６ａに対応する正四角形状の平板状のもの等、袋の内側に折込まれている底面フィルムを正四角形状に押出し得るものであればその他のものであってもよい。
【００２８】
次に、袋底面１６の四方の各角部に対応する袋胴部１２を、高さ方向に沿って所定幅(側面第２シール代３８または側面第３シール代４０の幅)で溶着することで、４つのリブ用縦シール部１４が形成される(図８参照)。なお、このとき他方の対角に位置する底面フィルムにおけるフィルム端縁部(底面第３シール代４８と第５シール代５３)が、対応するリブ用縦シール部１４の内側で重合して密封状態で溶着される。
【００２９】
すなわち、実施例に係る自立性角筒袋の製造方法では、フィルムロール６０から連続的に引出した１枚の帯状フィルム６２によって、自立性角筒袋１０を製造し得るので、異なる幅の２本のフィルムを用いる必要がなく、効率的な角筒袋１０の製造が可能となる。また袋底面１６と袋胴部１２とを別々のフィルムによって形成する必要がないので、２枚のフィルムの重ね合わせシール部の重ね合わせズレに対応してシール部端縁をカットする等の必要がなく、袋製造に際してフィルムカスを回収する工程を不用にできる。
【００３０】
なお、実施例の製造方法では、フィルムロール６０から連続的に引出した帯状フィルム６２の状態で連続側面フィルム８０,８０を重合するよう折曲げると共に連続底面フィルム８１の押込みを行ない、更に連続底面フィルム８１と連続側面フィルム８０,８０との重合部を溶着した後に該帯状フィルム６２を溶着・カットすることで折畳み状態の袋を得るようにしたが、他の方法であってもよい。例えば、帯状フィルム６２をレジマーク位置でカットすることで得たフィルムシート(図３に示すフィルムシート)の状態で、該シートを幅方向の中央で折曲げて側面フィルムを重合すると共に底面フィルムの押込みを行ない、次いで底面フィルムと側面フィルムとの重合部を溶着すると共にリブ用縦シール部を形成するべく側面フィルムの両側縁部を溶着することで折畳み状態の袋を得るようにしてもよい。
【００３１】
【発明の効果】
以上説明した如く、本発明の請求項１に係る自立性角筒袋によれば、袋底面の四方に形成されて袋胴部にシールした折込重合部およびその内側に画成されたフラットな四角形状の底部により、該袋底面を広がった状態に保持することができる。従って、製袋後の袋に物品を充填する際には、袋底面が四角形状に広がった状態に保持されているので、あらゆる物品充填を良好に行なうことができる。また物品の充填状態や性状等の違いによって袋における底面の広がり形状に差を生ずることはないので、店頭での陳列時の見栄えを良好にし得る。更に、袋素材自体に、袋底面を広がった状態に保持する底部や折込重合部を形成するので、異なる材質の保形材等を用いる必要はなく、分別廃棄の手間を省くことができる。更にまた、袋の製袋過程においてフィルムを折込むことで底部や折込重合部を形成することができるから、保形材等を挿入する工程を必要としない。なお、袋胴部の高さ方向に延在する縦シール部を形成することで、より確実な自立性を有する包装袋とすることができる。
【００３２】
また、袋底面を広がった状態に維持するようになっているので、袋を製袋し物品を充填した後に袋の上部開口をシールする一連の動作を行なう製袋充填機に適用した場合、袋底面を広げる補助工程を省略しても、物品充填を良好に行なうことができる。
【図面の簡単な説明】
【図１】本発明の好適な実施例に係る自立性角筒袋を示す概略斜視図である。
【図２】実施例に係る自立性角筒袋を上部を開口した状態で底面側から視た概略斜視図である。
【図３】実施例に係る自立性角筒袋の展開図である。
【図４】実施例に係る自立性角筒袋の製造工程を示すものであって、フィルムロールから帯状フィルムを引出した状態を示す概略斜視図である。
【図５】実施例に係る自立性角筒袋の製造工程を示すものであって、帯状フィルムを折曲げた状態および連続底面フィルムを折込んだ状態を示す概略斜視図である。
【図６】実施例に係る自立性角筒袋の製造工程を示すものであって、連続底面フィルムと連続側面フィルムとが溶着されると共に一方のレジマーク位置でカットされた状態およびそのカット位置での要部を示す概略斜視図である。
【図７】実施例に係る自立性角筒袋の製造工程を示すものであって、折畳み状態の袋に治具を差込んで角筒状に広げた状態を示す概略斜視図である。
【図８】実施例に係る自立性角筒袋の製造工程を示すものであって、治具により角筒状に広げられた袋の四方にリブ用縦シール部を形成した状態を示す概略斜視図である。
【符号の説明】
１２  袋胴部
１４  リブ用縦シール部(縦シール部)
１６  袋底面
１６ａ  底部
５２  第１折込重合部(折込重合部)
５４  第２折込重合部(折込重合部)
５６  ガセット折込部
５８  上部横シール部
【図１】
0003697981.tif 000002
【図２】
0003697981.tif 000003
【図３】
0003697981.tif 000004
【図４】
0003697981.tif 000005
【図５】
0003697981.tif 000006
【図６】
0003697981.tif 000007
【図７】
0003697981.tif 000008
【図８】
0003697981.tif 000009